(57)【要約】 【課題】硬い地盤に対しても、ねじ込みにより地中に容易且つ確実にねじ込むことができ、ねじ込まれた状態で、シート状物を地面に安定的に押えて固定できる回転式のシート状物押え杭を提供する。【解決手段】円板状を呈してシート状物２を押える押え板３の下面中央部は、下方に向けて小径となる円錐部２２とされており、該円錐部２２の下端で、支持杭６が下方向に突設されている。支持杭６の外周面の少なくとも下側の部分には、螺旋状突部１０が設けられている。押え板３の上面の中央部分には、支持杭６の軸線と同心に、ドライバーの先端係合部を挿入させるためのドライバー係合孔部１５が設けられている。【選択図】図１
2011223913.tif 000002
【特許請求の範囲】
【請求項１】
全体が合成樹脂製で一体に形成されており、円板状を呈してシート状物を押える押え板の下面中央部に、横断面が円形の支持杭が下方向に突設され、該支持杭の外周面の少なくとも下側の部分には、螺旋状突部が該支持杭の軸線回りに設けられ、該螺旋状突部は、下端に向けて先細りに形成されており、又、前記押え板の上面の中央部分には、前記支持杭の軸線と同心に、上端開放で且つドライバーの先端係合部を挿入させるためのドライバー係合孔部が設けられていることを特徴とする回転式のシート状物押え杭。
【請求項２】
前記押え板の下面中央部は、下方に向けて小径となり且つ前記押え板の軸線と同心の円錐部とされており、該円錐部の下端で前記支持杭が下方向に突設されていることを特徴とする請求項１記載の回転式のシート状物押え杭。
【請求項３】
前記押え板の上面の中央部分は、外形が平面視で円形を呈する、盛り上がった叩き用隆起部とされ、該叩き用隆起部の中心は前記支持杭の軸線上に存し且つ、該叩き用隆起部の上面は平坦に形成されていることを特徴とする請求項１記載の回転式のシート状物押え杭。
【請求項４】
前記叩き用隆起部の上面には、前記ドライバー係合孔部の上端の中心部を通る、平面視でプラス状又はマイナス状を呈する上端開放の逃がし溝部が設けられていることを特徴とする請求項３記載の回転式のシート状物押え杭。
【請求項５】
前記叩き用隆起部の上面には、平面視でプラス状を呈する前記ドライバー係合孔部の上端の中心部を通る、平面視でプラス状を呈する上端開放の逃がし溝部が設けられており、該ドライバー係合孔部と該逃がし溝部は、プラスの方向が合致していることを特徴とする請求項３記載の回転式のシート状物押え杭。
【請求項６】
前記支持杭の下端部分は、前記螺旋状突部の下端の下方に突出する突き刺し軸部とされていることを特徴とする請求項１〜５の何れかに記載の回転式のシート状物押え杭。
【請求項７】
前記螺旋状突部は、前記支持杭の下側の部分のみに設けられていることを特徴とする請求項１〜６の何れかに記載の回転式のシート状物押え杭。
【請求項８】
前記螺旋状突部は、その断面が、前記支持杭の外周面から外方に向けて先細となる三角形状に形成されていることを特徴とする請求項１〜６の何れかに記載の回転式のシート状物押え杭。
【発明の詳細な説明】
【技術分野】
【０００１】
本発明は、防草シートや遮光シート、マルチ等の地面を覆う各種のシート状物を地面に押えて固定するために用いられる回転式のシート状物押え杭に関するものである。
【背景技術】
【０００２】
マルチ等の農業用シートや緑化用のシート、植物が栽培される植生マット等のシート状物を地面に押えて固定するために用いられる従来のシート状物押え杭の一例としては、実開平６−８６４４２号公報の図２、図３に示すような、円板状や十字状板等の形態を呈してシート状物を押える押え板の下面に、周面が平滑な支持杭を下方向に突設した構成を有するものが提案されており、該シート状物押え杭は、その支持杭を地中に押し込むことによって該押え板がシート状物を押えて地面に固定するものであった。しかしながらこの種のシート状物押え杭は、支持杭の周面が平滑であったために抜けやすく、その結果、風によってシート状物が剥がれてしまう欠点があった。
【０００３】
そこで、同公報の図５や実開昭６３−１８７８４０号公報が開示するような螺旋部付の支持杭を有するシート状物押え杭が提案されている。該シート状物押え杭は、シート状物を押える押え板の下面に支持杭が下方向に突設された構成を有し、該支持杭の外周面に螺旋状突部が設けられると共に前記押え板の上部に把持部が設けられた構成を有していた。そして該シート状物押え杭は、前記把持部を手で把持して、ネジを締める要領で前記支持杭の軸線回りに一方向にのみ回転させることによって支持杭を地中に進入させることができ、最終的に、前記押え板でシート状物を押えてこれを地面に固定するものであった。そして、該螺旋状突部間の凹部に土が入り込んだ状態となることにより、該螺旋状突部が支持杭の抜け出しに対して抵抗となるために、支持杭が地中から抜け出し難くなる利点があった。
【０００４】
しかしながら、かかる螺旋状突部を有する押え杭は、その把持部を手で把持して回転させることによって支持杭を地中に押し込むものであったため、地盤が硬い場合は、支持杭の軸線が振れ易いために該支持杭を安定的に回転させて地中に進入させるのが難しかった。又、このように軸線が振れ易いために該支持杭と土との密着が不良となって、地中に押し込んだ状態の支持杭がふらつき易く抜け易い問題があった。
【先行技術文献】
【特許文献】
【０００５】
【特許文献１】実開平６−８６４４２号公報
【特許文献２】実開昭６３−１８７８４０号公報
【発明の概要】
【発明が解決しようとする課題】
【０００６】
本発明は、前記従来の問題点に鑑みて開発されたものであり、硬い地盤に対しても支持杭を、木ネジのねじ込みの要領で回転させつつ地中に容易に且つ確実に押し込むことができ、このように押し込まれた状態で、抜け止め防止効果を有効に発揮できてシート状物を地面に安定的に押えて固定させ得るシート状物押え杭の提供を課題とするものである。又、シート状物を撤去したりシート状物を張り替える際には、押え杭を逆方向に回転させれば地中から容易に引き抜くことができる回転式のシート状物押え杭の提供を課題とするものである。
【課題を解決するための手段】
【０００７】
前記課題を解決するため本発明は以下の手段を採用する。
即ち、本発明に係る回転式のシート状物押え杭（以下シート状物押え杭という）は、全体が合成樹脂製で一体に形成されており、円板状を呈してシート状物を押える押え板の下面中央部に、横断面が円形の支持杭が下方向に突設され、該支持杭の外周面の少なくとも下側の部分には、螺旋状突部が該支持杭の軸線回りに設けられ、該螺旋状突部は、下端に向けて先細りに形成されており、又、前記押え板の上面の中央部分には、前記支持杭の軸線と同心に、上端開放で且つドライバーの先端係合部を挿入させるためのドライバー係合孔部が設けられていることを特徴とするものである。
【０００８】
前記シート状物押え杭において、前記押え板の下面中央部は、下方に向けて小径となり且つ前記押え板の軸線と同心の円錐部とし、該円錐部の下端で前記支持杭を下方向に突設するのがよい。
【０００９】
又、前記シート状物押え杭において、前記押え板の上面の中央部分を、外形が平面視で円形を呈する、盛り上がった叩き用隆起部とし、該叩き用隆起部の中心は前記支持杭の軸線上に存する如くなし、該叩き用隆起部の上面を平坦に形成するのがよい。この場合、前記叩き用隆起部の上面に、前記ドライバー係合孔部の上端の中心部を通る、平面視でプラス状又はマイナス状を呈する上端開放の逃がし溝部を設けるのがよい。
【００１０】
前記叩き用隆起部の上面に、平面視でプラス状を呈する前記ドライバー係合孔部の上端の中心部を通る、平面視でプラス状を呈する上端開放の逃がし溝部を設ける場合、該ドライバー係合孔部と該逃がし溝部は、プラスの方向が合致したものとして構成するのがよい。
【００１１】
又、前記シート状物押え杭において、前記支持杭の下端部分を、前記螺旋状突部の下端の下方に突出する突き刺し軸部とするのがよい。又、前記螺旋状突部は、前記支持杭の下側の部分のみに設けるのがよい。又、前記螺旋状突部は、その断面を、前記支持杭の外周面から外方に向けて先細となる三角形状に形成するのがよい。
【発明の効果】
【００１２】
本発明は以下の如き優れた効果を奏する。
(1) 本発明に係るシート状物押え杭によるときは、防草シートや遮光シート、マルチ等の農業用シートや緑化用のシート等のシート状物を地面に押えて固定する際、ドライバーによって押え杭を、木ネジのねじ込みの要領で、安定的に回転させてねじ込むことができ、支持杭を地中に容易に且つ確実に押し込むことができる。このように地中に押し込まれた状態のシート状物押え杭は、前記螺旋状突部が抵抗となって地中から抜け難く、従って、シート状物を地面に安定的に固定できることとなる。
そして、地中に押し込まれた状態のシート状物押え杭は、ドライバーで逆方向に回転させれば楽に引き抜くことができるため、シート状物の撤去や張り替え作業を容易に行うことができる。
【００１３】
(2) 前記押え板の下面中央部を、下方に向けて小径となる円錐部とし、該円錐部の下端で前記支持杭を下方向に突設するときは、該押え板がシート状物を押えた状態において、該シート状物を該円錐部によって地面に食い込むように押し付けることができるため、該押え板によるシート状物の押えをより確実に行うことができる。
又、シート状物支持杭のねじ込みの最終段階においては、該押え板の下面が、該円錐部の下端側から順次外に向かって接触する状態となるため、該押え板の下面の全体が同時にシート状物に接触する場合に比し、押え板の回転に伴うシート状物と押え板の下面との間の摩擦力を軽減できる。これによって、該押え板の回転によってシート状物が捩じれて皺になるのを抑制でき、シート状物をより安定的に地面に固定できることとなる。
【００１４】
(3) 前記押え板の上面の中央部分を、盛り上がった叩き用隆起部とするときは、地盤に砂利等を含んでいるためにドライバーで支持杭をねじ込みにくい場合であっても、該叩き用隆起部の平坦な上面を叩くことによって、押え板を損傷することなく支持杭を安全に打ち込むことができる。
【００１５】
(4) 叩き用隆起部の上面にプラス状又はマイナス状を呈する逃がし溝部を設ける場合は、前記叩き用隆起部の平坦な上面をハンマーで叩いた際に樹脂が潰れたときも、樹脂の変形物を該逃がし溝部に逃がすことが可能となり、樹脂の変形物が前記ドライバー係合孔部に入り込むのを防止できる。
【００１６】
(5) 前記逃がし溝部と前記ドライバー係合孔部とがプラス状を呈する場合、両者のプラスの方向を合致させるときは、該逃がし溝部のプラスの方向を見てドライバー係合孔部のプラスの方向を容易に判別できるため、ドライバーのプラスの先端係合部をプラスのドライバー係合孔部に挿入させ易い。
【００１７】
(6) 前記支持軸の下端部分を突き刺し軸部とするときは、該突き刺し軸部の下端でシート状物を突き破って該突き刺し軸部を地面に突き刺すことにより、地中への支持杭の回転押し込みをより安定的に行うことができる。
【００１８】
(7) 前記螺旋状突部を前記支持杭の下側の部分のみに設けるときは、シート状物押え杭を、抵抗を極力減じながらねじ込むことができ、又、打ち込むことができる。
【００１９】
(8) 前記螺旋状突部を、その断面が、前記支持杭の外周面から外方に向けて先細となる三角形状に形成するときは、支持杭を地中にねじ込む際、該螺旋状突部による土のネジ切りが効果的に行われるため、支持杭を地中にねじ込み易い。
【図面の簡単な説明】
【００２０】
【図１】本発明に係るシート状物押え杭を示す斜視図である。
【図２】その上端部分を示す断面図である。
【図３】ドライバー係合孔部にプラスドライバーの先端係合部を挿入した状態を示す断面図である。
【図４】シート状物押え杭で防草シートを地面に押えて固定した状態を示す断面図である。
【図５】シート状物押え杭の押え板を示す平面図である。
【図６】支持杭を示す部分断面図である。
【図７】ドライバーの先端係合部をドライバー係合孔部に挿入させ、突き刺し軸部を地面に突き刺した状態を示す断面図である。
【図８】シート状物押え杭のねじ込みの最終段階を示す断面図である。
【図９】多数本のシート状物押え杭を用いて防草シートを地面に固定した状態を示す平面図である。
【図１０】支持杭の突き刺し軸部の他の態様を示す断面図である。
【発明を実施するための形態】
【実施例１】
【００２１】
図１〜４において本発明に係る回転式のシート状物押え杭１は、全体が、例えばポリカーボネート等の合成樹脂を用いて一体に形成されており、円板状を呈してシート状物２を押える押え板３の下面５の中央部に、横断面が円形の支持杭６が下方向に突設され、該支持杭６の外周面７の少なくとも下側の部分９には螺旋状突部１０が設けられ、又、前記押え板３の上面１１の中央部分には、前記支持杭６の軸線と同心に、上端開放で且つドライバー１２の先端係合部１３を挿入させるためのドライバー係合孔部１５が設けられている。これをより具体的に説明すれば以下の如くである。
【００２２】
前記シート状物２は、例えば田や畑の土手などに張り付けられる防草シートや、遮光シート、マルチ等の農業用シート、又、緑化用のシートを含むものである。
【００２３】
前記押え板３は、本実施例においては図１（Ａ）、図２〜３に示すように、円板部１６の上面１７に叩き用隆起部１９が設けられてなり、図２に示すように、該叩き用隆起部１９の中心２０は前記支持杭６の軸線２１上に存し、且つ、該叩き用隆起部１９の上面１８は平坦に形成されている。そして該円板部１６の下面中央部には、図１（Ｂ）、図２に示すように、下方に向けて小径となり且つ前記押え板３の軸線と同心の円錐部２２が設けられており、該円錐部２２の下端で、前記支持杭６が下方向に突設されている。そして図１〜３に示すように、前記叩き用隆起部１９の上面１８の中央部分には前記ドライバー係合孔部１５が設けられている。該ドライバー係合孔部１５は、例えばプラスドライバー１２ａの先端係合部１３を挿入させるための、平面視でプラス状を呈するドライバー係合孔部１５として構成されており、前記ドライバー係合孔部１５が、前記支持杭６の軸線２１と同心に設けられている。
【００２４】
前記ドライバー係合孔部１５の周囲部分の肉厚は、前記円板部１６の下面中央部分に前記円錐部２２が設けられていることから、図２〜３に示すように比較的厚肉に形成されている。その結果、ドライバー係合孔部１５の強度アップが図られ、ドライバーによるシート状物押え杭１のねじ込みを安定的に行うことができる。該ドライバー係合孔部１５の深さは、本実施例においては例えば１０ｍｍ程度に設定されているが、要は、先端係合部１３をドライバー係合孔部１５に挿入した状態で、ドライバー係合孔部１５の変形を防止してシート状物押え杭１を確実に回転させることができる程度であればよい。
【００２５】
そして本実施例においては図１、図５に示すように、前記叩き用隆起部１９の上面１８に、平面視でプラス状を呈する前記ドライバー係合孔部１５の上端の中心部２３を通る、平面視でプラス状を呈する上端開放の逃がし溝部２５が設けられており、該ドライバー係合孔部１５と該逃がし溝部２５のプラスの方向は、図５に示すように合致している。
【００２６】
又図１に示すように、前記支持杭６の下側の部分（本実施例においては下側の３分の１強の部分）９は先細りに形成され、該先細りを呈する下側の部分の外周面７には、前記螺旋状突部１０が、該支持杭６の下端に向けて先細りに形成されると共に、該支持杭６の下端部分は、前記螺旋状突部１０の下端２６の下方に突出し且つ下端部２７が丸みを帯びた突き刺し軸部２９とされている。該螺旋状突部１０は、図６に示すように、その断面が、前記支持杭６の外周面７から外方に向けて先細となる三角形状に形成されており、その根元部３０の上下幅は２ｍｍ程度で、螺旋状突部１０のピッチは１０ｍｍ程度に設定されている。
【００２７】
かかる構成を有するシート状物押え杭１の主要部の寸法を例示すれば、前記押え板３の直径は５０ｍｍ程度、その外周部３１の厚さは３ｍｍ程度、その中心部３２の厚さは１１ｍｍ程度に設定され、前記叩き用隆起部１９の直径は１８ｍｍ程度に、前記ドライバー係合孔部１５の上端３３の直径は７ｍｍ程度に、前記逃がし溝部２５の溝幅は１．２ｍｍ程度、その深さは１．５ｍｍ程度に、その長さは９ｍｍ程度に設定されている。又、前記叩き用隆起部１９の直径は１８ｍｍ程度に、厚さは１．５ｍｍ程度に設定されている。又、前記支持杭６の長さは１５０ｍｍ程度に、その上端３５の直径は８ｍｍ程度に設定されている。そして、前記螺旋状突部１０の上端部分３７の直径は１１ｍｍ程度に、その下端部分３９の直径は８ｍｍ程度に設定されている。又、前記突き刺し軸部２９の長さは１０ｍｍ程度に、その上端３４の直径は５．６ｍｍ程度に設定されている。
【００２８】
然して、かかる構成を有するシート状物押え杭１を用いて、地面４０を覆う防草シート２ａとしてのシート状物２を押さえて地面４０に固定するに際しては、先ず図７に示すように、例えばインパクトドライバー工具のドライバー１２の前記先端係合部１３を、図３に示すように、前記ドライバー係合孔部１５に挿入させる。その際、図５に示すように、該ドライバー係合孔部１５と前記逃がし溝部２５のプラスの方向が合致しているため、プラス状を呈する先端係合部１３をプラス状を呈するドライバー係合孔部１５に挿入させる際に、十字状の逃がし溝部２５が該挿入の目印ともなり、該挿入を容易に行うことができる。
【００２９】
このようにして先端係合部１３をドライバー係合孔部１５に挿入し且つ前記支持杭６を垂直状態として、前記突き刺し軸部２９の下端部２７を前記防草シート２ａの表面４１の所要部位に当てて該ドライバー１２を下方向を押し付ける。これにより図７に示すように、該突き刺し軸部２９が該防草シート２ａを突き破り、該突き刺し軸部２９が地面４０に突き刺さることになる。この状態で前記インパクトドライバー工具を回転させると、前記支持杭６がその軸線回りに回転し、これにより、地盤が硬い場合であっても該支持杭６が土中にねじ込まれていく。
【００３０】
このようなねじ込みは、前記押え板３の下面５が図４に示すように前記防草シート２ａの表面４１を押さえた状態で終了し、これにより、シート状物押え杭１によって防草シート２ａを地面４０に固定できることとなる。
【００３１】
土中にねじ込まれた状態にあるシート状物押え杭１は、防草シート２ａを浮き上げる力に対しては、前記螺旋状突部１０間の凹部４２に土が入り込んだ状態となって該螺旋状突部１０が大きな抵抗となるため、シート状物押え杭１による防草シート２ａの押え効果を安定的に発揮させることができ、従って防草シート２ａが浮き上がる恐れがない。そして、前記押え板３の下面中央部分に円錐部２２が設けられ、該円錐部２２の下端で前記支持杭６が突設されていることから、該押え板３が防草シート２ａを押えた状態においては、図４に示すように、該防草シート２ａが、該円錐部２２によって地面４０に食い込むように押し付けられると共に該円錐部２２よりも外側に存する部分４３で地面４０に面接触で押し付けられるため、該押え板３による防草シート２ａの押えが確実に行われることとなる。
【００３２】
そして、シート状物押え杭１のねじ込みの最終段階に近付いたときには図８に示すように、前記押え板３の下面５が、前記円錐部２２の下端側から順次外に向かって接触する状態となるため、該押え板３の下面５の全体が同時に防草シート２ａに接触する場合に比し、押え板３の回転に伴う防草シート２ａと押え板３の下面５との間の摩擦力を軽減できる。加えて、該円錐部２２が防草シート２ａに接触したときの抵抗感で、インパクトドライバー工具の回転を落とす目安が付くため、このように接触した後はドライバーの回転を落せることとなり、該押え板３と防草シート２ａとの間の摩擦力を軽減できることともなる。これらによって、押え板３の回転によって防草シート２ａが捩じれて皺になるのを抑制でき、防草シート２ａをより安定的に地面４０に固定できることとなる。
【００３３】
前記螺旋状突部１０が、本実施例においては断面三角形状を呈するため、このように支持杭６を地中にねじ込む際、該螺旋状突部１０による土のネジ切りが効果的に行われるため、支持杭６を地中にねじ込み易い。又、前記押え板３が円板状を呈するために、回転する押え板３によって怪我をする恐れがない。
【００３４】
特に、地盤に砂利等を含んでいるためにドライバーで支持杭６をねじ込みにくい場合は、該押え板３の上面をハンマー等で叩くことによって支持杭６を地中に押し込むことができる。特に本実施例においては、該押え板３の上面の中央部分が、盛り上がった叩き用隆起部１９とされているため、該叩き用隆起部１９の平坦な上面１８を叩くこととすれば、ハンマーで叩く場所を該叩き用隆起部１９によって所要に特定できるため、叩き作用によって押え板３を損傷することなく支持杭６を安全に打ち込むことが可能となる。
【００３５】
シート状物押え杭１は、前記のように、全体が合成樹脂で一体に形成されているため、該叩き用隆起部１９の平坦な上面１７をハンマーで叩いた際に、該叩き用隆起部１９を構成する樹脂が変形して前記ドライバー係合孔部１５に入り込む恐れがある。そこで本実施例においては、前記のように、叩き用隆起部１９の上面１９に、前記ドライバー係合孔部１５の上端の中心部２３を通るプラス状の逃がし溝部２５を設けている。該叩き用隆起部１９が叩き作用によって変形した場合、潰れた樹脂部分がドライバー係合孔部１５を塞ぐ恐れがあるが、その樹脂の変形物を該逃がし溝部２５に逃がすことが可能となる。これによって、樹脂の変形物が前記ドライバー係合孔部１５に入り込むのを防止できドライバー係合孔部１５の変形を極力防止できる。その結果、シート状物を撤去したり張り替えるに際して前記シート状物押え杭１をドライバーで逆方向に回転させて引き抜くときには、前記ドライバー係合孔部１５へのドライバーの先端係合部１３の挿入を障害なく行い得ることとなる。
【００３６】
なお本実施例においては、前記螺旋状突部１０が前記支持杭６の下側の部分９のみに設けられているため、シート状物押え杭１を、抵抗を極力減じながらねじ込むことができ、又は、打ち込むことができる。そして、このようにねじ込んだり打ち込んだ後は、前記のように、螺旋状突部１０が大きな抵抗となって、シート状物押え杭が安定状態で保持される。
【００３７】
図９は、多数本のシート状物押え杭１を用いて防草シート２ａを地面４０に固定した状態を示している。
【実施例２】
【００３８】
本発明は、前記実施例で示したものに限定されるものでは決してなく、「特許請求の範囲」の記載内で種々の設計変更が可能であることはいうまでもない。その一例を挙げれば次のようである。
【００３９】
(1) 本発明に係るシート状物押え杭１の前記支持杭６に設けられている螺旋状突部１０は、地盤が比較的柔らかい場合は、支持杭６の下側の部分だけでなく、その上側の部分にも設けられることがある。
【００４０】
(2) 前記ドライバー係合孔部１５は、マイナスドライバーの先端係合部１３を挿入させ得るように、平面視でマイナス状に設けられることもある。
【００４１】
(3) 前記逃がし溝部２５は、前記マイナス状を呈するドライバー係合孔部１５の上端の中心部を通るマイナス状を呈する如く構成されることもある。この場合、該逃がし溝部２５に挿入させ易くするために、該ドライバー係合孔部と該逃がし溝部とは平面視で、マイナスの方向を合致させるのがよい。
【００４２】
(4) 前記のように逃がし溝部２５を設ける場合、直線状の逃がし溝部にマイナスドライバーの先端係合部を嵌め入れてシート状物押え杭を回転させることも可能である。
【００４３】
(5) 前記突き刺し軸部２９は、図１０に示すように先細に形成されることもある。
【００４４】
(6) 本発明に係るシート状物押え杭１は、マルチを押える場合等、比較的柔らかい土に押し込まれる場合は、前記円錐部２２や、前記叩き用隆起部１９、前記逃がし溝部２５、前記突き刺し軸部２９が省略されることもある。
【００４５】
(7) シート状物押え杭１は、手回し用のドライバー工具で回転させてもよいのであるが、インパクトドライバー工具を用いて回転させれば、多数本のシート状物押え杭１の押し込みを難なく行うことができる。
【００４６】
(8) 本発明において、シート状物には、緑化用や蔓性植物栽培用等のネット状物も含まれる。
【符号の説明】
【００４７】
１  シート状物押え杭
２  シート状物
３  押え板
５  押え板の下面
６  支持杭
７  外周面
９  支持杭の下側の部分
１０  螺旋状突部
１１  押え板の上面
１２  ドライバー
１３  先端係合部
１５  ドライバー係合孔部
１８  叩き用隆起部の上面
１９  叩き用隆起部
２２  円錐部
２５  逃がし溝部
４０  地面
【図１】
2011223913.tif 000003
【図２】
2011223913.tif 000004
【図３】
2011223913.tif 000005
【図４】
2011223913.tif 000006
【図５】
2011223913.tif 000007
【図６】
2011223913.tif 000008
【図７】
2011223913.tif 000009
【図８】
2011223913.tif 000010
【図９】
2011223913.tif 000011
【図１０】
2011223913.tif 000012